(57)【要約】【課題】バッテリの小型化に伴う電子装置及び充電装置への誤挿入防止。【解決手段】扁平で略直方体形状に形成された電池セルと前記電池セルと電気的に接続された接続端子部２２２を備えたバッテリ２において、接続端子部２２２が設置された面と対向する面の長手方向の一端に前記面の長手方向に突出する突起部２６が設けられる一方で他端に前記面の長手方向に突出する突起部２７が設けられる。突起部２６，２７には突起の長さが相違するものや、突起の長さ及び突起の厚さが相違するものある。バッテリ２が装着される充電装置はバッテリ２の収納部４０が突起部２６及び２７を各々収納する突起収納部４６及び４７を備える。収納部４０は前記電池セルの主面が長方形のバッテリ２Ｄ，２Ｅを格納する空間と前記電池セルの主面が略正方形のバッテリ２を格納する空間とを設け、充電端子はバッテリ２の他にバッテリ２Ｄ，２Ｅの充電端子を兼ねる。【選択図】  図２３
2006221989.tif 000002
【特許請求の範囲】
【請求項１】
扁平で略直方体形状に形成された電池セルと、前記電池セルと電気的に接続された接続端子部を備えたバッテリにおいて、
前記バッテリの接続端子部が設置された面と対向する面の長手方向の一端に前記面の長手方向に突出する突起部が設けられたこと
を特徴とするバッテリ。
【請求項２】
扁平で略直方体形状に形成された電池セルと、前記電池セルと電気的に接続された接続端子部を備えたバッテリにおいて、
前記接続端子部が設置された面と対向する面の長手方向の両端に前記面の長手方向に突出する突起部が設けられたこと
を特徴とするバッテリ。
【請求項３】
前記長手方向の両端に形成された突起部は突起の長さが相違していること
を特徴とする請求項２記載のバッテリ。
【請求項４】
前記長手方向の両端に形成された突起部は突起の長さ及び突起の厚さが相違していること
を特徴とする請求項２記載のバッテリ。
【請求項５】
前記バッテリの接続端子部が設置された面は、前記電池セルを収納するフレーム部と、前記電池セルと電気的に接続された端子接続部と、回路基板部を介して前記フレーム部の一端側に取り付けられ前記端子接続部を露出させるキャップ部とを備えることにより、形成されたこと
を特徴とする請求項１記載のバッテリ。
【請求項６】
扁平で略直方体形状に形成された電池セルとこの電池セルと電気的に接続された接続端子部を備え前記接続端子部が設置された面と対向する面の長手方向の一端に前記面の長手方向に突出する突起部が設けられたバッテリが着脱自在に収納されると共に、前記端子接続部と電気的に接触する充電端子を備えた収納部を有する充電装置であって、
前記収納部は前記バッテリに形成された突起部を収納する突起収納部を備え、
前記突起収納部は前記突起部の寸法に基いた前記突起部を収納する空間となっていること
を特徴とする充電装置。
【請求項７】
扁平で略直方体形状に形成された電池セルとこの電池セルと電気的に接続された接続端子部を備え前記接続端子部が設置された面と対向する面の長手方向の両端に前記面の長手方向に突出する突起部が設けられたバッテリが着脱自在に収納されると共に前記端子接続部と電気的に接触する充電端子を備えた収納部を有する充電装置であって、
前記収納部は、前記バッテリに形成された各突起部を収納する突起収納部を設け、一方の突起収納部は一方の突起部の寸法に基いて前記一方の突起部を収納する空間を設けると共に、他方の突起収納部は他方の突起部の寸法に基いて前記他方の突起部を収納する空間を設けることにより、形成させたこと
を特徴とする充電装置。
【請求項８】
前記収納部の底面は凹部を有し、この凹部に前記バッテリが収納される空間となっていること
を特徴とする請求項６記載の充電装置。
【請求項９】
前記収納部は、前記バッテリを格納する空間と前記バッテリよりも長さの長いバッテリを格納する空間を有し、前記充電端子は前記長いバッテリの充電端子を兼ね備えていること
を特徴とする請求項６記載の充電装置。
【請求項１０】
前記収納部は、前記充電端子か形成された面と対向する面において前記バッテリを係止する係止部が設けられれていること
を特徴とする請求項６記載の充電装置。
【請求項１１】
扁平で略直方体形状に形成された電池セルとこの電池セルと電気的に接続された接続端子部を備え前記接続端子部が設置された面と対向する面の長手方向の一端に前記面の長手方向に突出する突起部が設けられたバッテリが着脱自在に格納されると共に前記端子接続部と電気的に接触する端子を備えた格納部を有すること
を特徴とする電子装置。
【請求項１２】
扁平で略直方体形状に形成された電池セルとこの電池セルと電気的に接続された接続端子部を備え前記接続端子部が設置された面と対向する面の長手方向の両端に前記面の長手方向に突出する突起部が設けられたバッテリが着脱自在に格納されると共に前記端子接続部と電気的に接触する端子を備えた格納部を有すること
を特徴とする電子装置。
【請求項１３】
前記格納部は前記バッテリに形成された突起部を収納する突起収納部を形成させていること
を特徴とする請求項１１記載の電子装置。
【請求項１４】
前記突起収納部は前記突起部の寸法に基いた前記突起部を収納する空間となっていること
を特徴とする請求項１３記載の電子装置。
【発明の詳細な説明】
【技術分野】
【０００１】
本発明は、バッテリが装着される充電装置及び電子装置に関する。
【背景技術】
【０００２】
近年、デジタルカメラに代表される撮像装置等の電子装置の小型化、軽量化に伴い、電子装置に装着されるバッテリは小型化、軽量化に有利な直方体型に形成されている。一方、バッテリを適用する電子装置は、バッテリの誤挿入や撮像装置の破損を防ぐために曲げモーメントに耐える剛性を有した部材で形成する必要があり、小型化、軽量化の妨げとなっていた。
【０００３】
そこで、特許文献１に示されたバッテリ９は、図２８に示したように、電子装置への誤挿入を防ぐために挿入方向の辺の長さを幅方向の辺の長さよりも長く設定した直方体状に形成し、その外装部９０の辺に切欠部９１を形成させることにより、誤挿入を確実に防止しさらにはこのバッテリ９が装着される電子装置の小型化、軽量化を容易にしている。外装部９０にはバッテリ９が装着される電子装置の端子と電気的に接続する端子９２が設けられている。切欠部９１の設置数、設置箇所は、端面９３が対称中心を有さないように決定される。一方、バッテリ９を収納する電子装置内の電池ホルダーは、外装部９０の外形形状とほぼ同一の内部形状を有すると共に電池ホルダーを収納した際に切欠部９１，９１と係合する突部を有する。尚、特許文献１に示されたバッテリと同類のものとしては、特許文献２〜４に示されたバッテリがある。
【０００４】
バッテリ９は充電装置によって適宜充電される。充電装置としては例えば特許文献５に挙げられたものがある。この充電装置はバッテリ９が着脱自在に装着される装着部を備える。この装着部にはバッテリ９の端子９２と電気的に接続する端子が設けられている。
【特許文献１】特開２００３−３１７６８９
【特許文献２】特開平１１−３０７０７２号公報
【特許文献３】特開２００１−７６７００
【特許文献４】特開平１１−３６９２号公報
【特許文献５】特許第２５０８４４７号明細書
【発明の開示】
【発明が解決しようとする課題】
【０００５】
昨今、電子装置のさらなる小型化及び軽量化の要請により、前記電子装置に装着されるバッテリのさらなる小型化が必要とされている。そこで、前記直方体型のバッテリをさらに小型化するために、対向する略正方形の面を有する形状に形成すればよいが、これまでのバッテリは側面に突起部が無く、また、前記装置側においては受け入れたバッテリを係止する係止箇所が明確ではなかった。そのため、ユーザーはバッテリとその係止箇所の位置関係に迷い、バッテリに装着される装置すなわち電子装置及び充電装置に対して、バッテリを誤装着させてしまう確率が高かった。
【０００６】
また、仮に、略正方形状の面を有するバッテリを形成すると、バッテリと撮像装置の端子接点がオフセンターである場合、バッテリを裏表逆挿入した状態または横誤挿入した状態では、バッテリの端子は電子装置及び充電装置の端子と接触しないので両者が電気的に接続されないが、バッテリ筐体は電子装置及び充電装置の端子に接触するので電子装置及び充電装置の端子を破損させる恐れがある。
【０００７】
本発明は、かかる事情に鑑みなされたもので、その目的は、電子装置のバッテリの小型化に伴う電子装置及び充電装置への誤装着を防止できるバッテリとこれが装着される充電装置及び電子装置の提供にある。
【課題を解決するための手段】
【０００８】
そこで、本発明のバッテリは、扁平で略直方体形状に形成された電池セルと、前記電池セルと電気的に接続された接続端子部を備えたバッテリにおいて、前記バッテリの接続端子部が設置された面と対向する面の長手方向の一端に前記面の長手方向に突出する突起部が設けられたことを特徴とする。
【０００９】
また、本発明の他のバッテリは、扁平で略直方体形状に形成された電池セルと、前記電池セルと電気的に接続された接続端子部を備えたバッテリにおいて、前記接続端子部が設置された面と対向する面の長手方向の両端に前記面の長手方向に突出する突起部が設けられたことを特徴とする。
【００１０】
これらのバッテリにおいて、前記バッテリの接続端子部が設置された面としては、前記電池セルを収納するフレーム部と、前記電池セルと電気的に接続された端子接続部と、回路基板部を介して前記フレーム部の一端側に取り付けられ前記端子接続部を露出させるキャップ部とを備えることにより、形成されたものがある。
【００１１】
以上の本発明のバッテリによれば、バッテリが装着される電子装置や充電装置へのバッテリの挿入方向が明確となる。
【００１２】
前記長手方向の両端に形成された突起部は突起の長さが相違しているものがある。これにより、バッテリが装着される電子装置や充電装置へのバッテリの挿入方向が一層明確となる。また、前記両端に形成された突起部は突起の長さ及び突起の厚さが相違しているものがある。これによっても、バッテリが装着される電子装置や充電装置へのバッテリの挿入方向が一層明確となる。
【００１３】
本発明の充電装置は、扁平で略直方体形状に形成された電池セルとこの電池セルと電気的に接続された接続端子部を備え前記接続端子部が設置された面と対向する面の長手方向の一端に前記面の長手方向に突出する突起部が設けられたバッテリが着脱自在に収納されると共に、前記端子接続部と電気的に接触する充電端子を備えた収納部を有する充電装置であって、前記収納部は前記バッテリに形成された突起部を収納する突起収納部を備え、前記突起収納部は前記突起部の寸法に基いた前記突起部を収納する空間となっていることを特徴とする。
【００１４】
また、本発明の他の充電装置は、扁平で略直方体形状に形成された電池セルとこの電池セルと電気的に接続された接続端子部を備え前記接続端子部が設置された面と対向する面の長手方向の両端に前記面の長手方向に突出する突起部が設けられたバッテリが着脱自在に収納されると共に前記端子接続部と電気的に接触する充電端子を備えた収納部を有する充電装置であって、前記収納部は、前記バッテリに形成された各突起部を収納する突起収納部を設け、一方の突起収納部は一方の突起部の寸法に基いて前記一方の突起部を収納する空間を設けると共に、他方の突起収納部は他方の突起部の寸法に基いて前記他方の突起部を収納する空間を設けることにより、形成させたことを特徴とする。
【００１５】
以上の充電装置によれば、バッテリに形成された突起部を選択的に格納できる。尚、これらの充電装置においては、前記収納部の底面は凹部を有し、この凹部に前記バッテリが収納される空間となっているものがある。
【００１６】
前記収納部は、前記バッテリを格納する空間と前記バッテリよりも長さの長いバッテリを格納する空間を有し、前記充電端子は前記長いバッテリの充電端子を兼ね備えているものがある。これにより、サイズの異なるバッテリを単一の充電端子で充電できるようになる。
【００１７】
また、前記収納部は、前記充電端子か形成された面と対向する面において前記バッテリを係止する係止部が設けられれているものがある。これにより、充電時にバッテリが充電装置から脱離することがなくなる。
【００１８】
本発明の電子装置は、扁平で略直方体形状に形成された電池セルとこの電池セルと電気的に接続された接続端子部を備え前記接続端子部が設置された面と対向する面の長手方向の一端に前記面の長手方向に突出する突起部が設けられたバッテリが着脱自在に格納されると共に前記端子接続部と電気的に接触する端子を備えた格納部を有することを特徴とする。
【００１９】
また、本発明の他の電子装置は、扁平で略直方体形状に形成された電池セルとこの電池セルと電気的に接続された接続端子部を備え前記接続端子部が設置された面と対向する面の長手方向の両端に前記面の長手方向に突出する突起部が設けられたバッテリが着脱自在に格納されると共に前記端子接続部と電気的に接触する端子を備えた格納部を有することを特徴とする。
【００２０】
以上の発明の電子装置によれば、バッテリに形成された突起部を選択的に収納できる。また、前記格納部としては前記バッテリに形成された突起部を収納する突起収納部を形成させるものがある。これにより電子装置へのバッテリの挿入方向が明確となる。さらに、前記突起収納部としては前記突起部の寸法に基いた前記突起部を収納する空間となっているものがある。これにより電子装置へのバッテリの挿入方向が一層明確となる。
【発明の効果】
【００２１】
以上のように本発明に係るバッテリによれば、電子装置や充電装置へのバッテリの挿入方向が明確となるので、電子装置や充電装置へのバッテリの誤装着を防止できる。
【００２２】
本発明に係る充電装置においては、バッテリに形成された突起部を選択的に格納できるので、バッテリの誤装着が防止される。また、形状の異なるバッテリを格納する空間を設け、前記充電装置の充電端子が各バッテリの充電端子を兼ねることで、サイズの異なるバッテリを単一の充電端子で充電できるようになる。
【００２３】
本発明に係る電子装置においては、バッテリに形成された突起部を選択的に収納できるので、バッテリの誤装着が防止される。
【発明を実施するための最良の形態】
【００２４】
以下、図面を参照しながら本発明の実施形態について説明する。
【００２５】
図１の（ａ）〜（ｆ）は本発明の一実施形態に係るバッテリの各外面を示す側面図である。図２は前記バッテリの分解斜視図である。また、図３の（ａ）〜（ｆ）、図４の（ａ）〜（ｆ）及び図５の（ａ）〜（ｆ）は本発明の他の実施形態に係るバッテリの各外面を示す側面図である。
【００２６】
バッテリ２は、図２に示したように略正方形の主面を有する電池セル２０と、この電池セル２０を収納した角型のフレーム部２１と、このフレーム部２１の外側面に配置された回路基板部２２と、この回路基板部２２をフレーム部２１の外側面との間で挟むようにして前記フレーム部２１及び電池セル２０の一端側に取付けられたキャップ部２３と、電池セル２０及びフレーム部２１を一体的に被覆した外装フィルム２４と、を備えている。
【００２７】
電池セル２０は、例えば正極、セパレータ、負極等を順に積層した積層体（電池素子）をフィルム状の外装部材により被覆することにより形成されている。図２に示すように、電池セル２０は、第１〜第４の側面２０ａ〜２０ｄと表，裏面２０ｅ，２０ｆにより偏平な略直方体形状に形成されていて、第１の側面２０ａの略中央部にはセル正極部２０１が突出形成され、該第１の側面２０ａの反対側の第２の側面２０ｂの中央部にはセル負極部（図示省略）が形成されている。セル負極部には高温時に非導通とするための安全部品としての正特性サーミスタ（Ｐｏｓｉｔｉｖｅ Ｔｅｍｐｅｒａｔｕｒｅ Ｃｏｅｆｆｉｃｉｅｎｔ(以下、ＰＴＣタブと称する)）２０２の一端部が接続されていて、ＰＴＣタブ２０２の他端部は、電池セル２０の第３の側面２０ｃまで伸びている。電池セル２０の第３の側面２０ｃとＰＴＣタブ２０２の間には絶縁紙２０３が介在されている。
【００２８】
フレーム部２１は、電気絶縁性を有する合成樹脂によって四辺形の枠状に形成されていて、第１〜第４の辺２１ａ〜２１ｄが電池セル２０の第１〜第４の側面２０〜２０ｄの外面にそれぞれ重なり合うようになっている。
【００２９】
電池セル２０の第１の側面２０ａに重なるフレーム部２１の第１の辺２１ａには、セル正極部２０１を嵌合するセル正極部嵌合窓２１１が設けられている。電池セル２０の第３の側面２０ｃに重なる第３の辺２１ｃには、ＰＴＣタブ２０２の端部が臨む切欠部２１２が設けられていると共に、第１の辺２１ａ側の端部には負極タブ２１３を第３の辺２１ｃの内側に導入するためのスリット２１４が設けられている。切欠部２１２にはスペーサー２１２ａが取り付けられる。
【００３０】
フレーム部２１の底部には電池セル２０の底部を支持するフランジ状の突部２１５が設けられている。また、フレーム部２１の上部には、第２の辺２１ｂの上縁に沿って前記フランジ状の突部２１５に対向するフランジ状の突部２１６が形成されていて、これらフランジ状の突部２１５，２１６間に電池セル２０の第２の側面２０ｂ側の端部が挟着される。
【００３１】
フレーム部２１の第２の辺２１ｂの高さは、収納した電池セル２０が充電時や高温時において最も膨張した時の高さ（肉厚）と略等しくなる高さに形成されている。
【００３２】
フレーム部２１の第１の辺２１ａの外面には回路基板取付部２１７が設けられている。回路基板取付部２１７は、フレーム部２１の第１の辺２１ａの外面の上下端に突出形成された上下の一対のキャップ支持部２１８間に形成されている。キャップ支持部２１８には、複数のキャップ部係止爪２１９が設けられている。
【００３３】
回路基板部２２は、ガラスエポキシフェノール等の絶縁性合成樹脂で形成されたベースプレート２２１の外面側に複数の端子接触部２２２を備え、ベースプレート２２１の内面側に電子部品及び該電子部品をモールドしたトランスファーモールド２２３を備えていて、該トランスファーモールド２２３の先端とフレーム部２１の間に所定の（僅かな）隙間をもたせた状態でフレーム部２１とキャップ部２２に挟まれた状態で組付け固定されている。
【００３４】
回路基板部２２の一端の端子部２２４には正極タブ２２５の一端部２２５ａが溶接により接続されている。正極タブ２２５の他端側は、電池セル２０のセル正極部２０１に溶接により接続されている。回路基板部２２と正極タブ２２５の間には絶縁紙２２６が介在されている。また、回路基板部２２の他端の端子部２２７には負極タブ２１３の一端２１３ａが溶接により接続される。
【００３５】
正極タブ２２５は、ニッケル板等の金属板で略Ｌ字状に形成されている。前記金属板には所謂焼き鈍し加工が施されて曲げ加工が容易になっている。前記略Ｌ字状の正極タブ２２５は、長辺側が正極タブ２２５に接続され、短辺側が前記回路基板部２２の一端の端子部２２７に接続されている。
【００３６】
前記負極タブ２１３も前記正極タブ２２５と同様にニッケル板等の金属板で略Ｌ字状に形成されている。前記略Ｌ字状の負極タブ２１３は、短辺側の一端２１３ａが回路基板部２２の他端の端子部２２７に接続されている。前記負極タブ２１３の長辺側の他端２１３ｂは、フレーム部２１の第３の辺２１ｃに設けたスリット２１４を介してフレーム部２１の内面側に導入されてＰＴＣタブ２０２に接続される。
【００３７】
キャップ部２３は、回路基板部取付部２１７に取付けた回路基板部２２を介して（回路基板部２２を挟んで）フレーム部２１の第１の辺２１ａの外面に重なる矩形状の端面部２３１と、該矩形状の端面部２３１に連設されていてフレーム部２１及び電池セル２０の一端側に嵌着される筒状部２３２と、を備えている。
【００３８】
キャップ部２３の端面部２３２には、回路基板部２２の端子接触部２２２が臨む複数の端子窓２３３が設けられている。また、筒状部２３１の上下面には、フレーム部２１の上下一対のキャップ部支持部２１８に設けた複数のキャップ部係止爪２１９が係合する複数の爪係合孔２３４が設けられている。
【００３９】
また、フレーム部２１は、回路基板部２２側に突出する複数の突起２１８ａを上下一対のキャップ支持部２１８に備えている。突起２１８ａは、回路基板部２２の端子接触部２２２が相手側端子により加圧されたときなどに、トランスファーモールド２２３を挟む位置で、かつ回路基板部２２の電子部品等がマウントされていない部分に当接するようになっている。
【００４０】
外装フィルム２４は、ポリエチレン（ＰＥ）、ポリエチレンテレフタレート（ＰＥＴ）、ポリカーボネート（ＰＣ）等の合成樹脂により０．０５〜０．１ｍｍ程度の厚さのシート状に作られている。そして、電池セル２０をフレーム部２１内に収納し、フレーム部２１に回路基板部２２等を取付け、キャップ部２３を被せた後に、フレーム部２１に巻き付けられて、電池セル２０の表裏面を覆うと共に、電池セル２０、フレーム部２１、キャップ部２３を一体的に結合するようになっている。尚、外装フィルム２４には機銘板フィルム２５が貼り付けられる。
【００４１】
また、フレーム部２１は第二の辺２１ｂの縁端部に辺の長さ方向に突出する突起部２６，２７を形成させたことで撮像装置１へのバッテリ２の誤挿入を防止することを可能としている。突起部２６，２７はその形状が相違するように形成されている。具体的には突起部２６の長さ及び厚みと突起部２７の長さ及び厚さが相違するように形成されている。尚、フレーム２１においては後述の充電装置３に形成された係止部３５１による係止を受ける被係止部２１０が形成されている。
【００４２】
突起部２６は、図1に示されたように、略直方体状に形成されている。一方、撮像装置１（図７及び図８）におけるバッテリの格納部１０ａにおいては、バッテリ２が撮像装置１に装着されたとき突起部２６を露出させた状態で収容する突起収納部１２２が形成されている。突起収納部１２２は突起部２６を収納可能な必要最低限の大きさに形成されている。ここでは、突起収納部１２２の切り欠き面積はバッテリ２のフレーム部２１に対する突起部２６の設置面積以上に設定されている。
【００４３】
突起部２７は、図１に示されたように、断面が略台形状となるよう形成されたことにより傾斜面２７０を有している。さらに、突起部２７にはバッテリ２が撮像装置１内に装着されてロック爪１１５がバッテリ２を係止する際にロック爪１１５によって係止される被係止面２７１が形成されている。
【００４４】
被係止面２７１は、その高さがフレーム部２１の面よりも低く設定されることで、ロック爪１１５によって係止される箇所を明確化させている。また、これと同時に、バネの接触圧を受けているロック爪１１５を抑止できるようになっている。また、被係止面２７１は、その面の摩擦係数が周辺部の摩擦係数に比べて小さくなっている。これにより、係止される箇所がより明確化させている。さらに、ロック爪１１５が滑り易くなるので、迅速に係止されるようになっている。
【００４５】
また、バッテリ２の他の実施形態として図３の（ａ）〜（ｆ）に示されたバッテリ２Ａがある。バッテリ２Ａは、バッテリ２のキャップ部２３の面における両端部には、挿入方向に突出する形状の異なる突起部２８，２９を形成させて撮像装置１へのバッテリ２Ａの誤挿入を防止させてもよい。突起部２８は断面が略台形状となるよう形成されている一方で、突起部２９は略直方体状に形成されていおり、両者の突起の厚みが相違している。尚、突起部２８及び突起部２９は突起の長さが相違するように形成してもよい。
【００４６】
さらに、バッテリ２の他の実施形態として図４の（ａ）〜（ｆ）に示されたバッテリ２Ｂがある。バッテリ２Ｂはフレーム部２１において突起部２７のみを設けている。
【００４７】
また、バッテリ２の他の実施形態として図５の（ａ）〜（ｆ）に示されたバッテリ２Ｃがある。バッテリ２Ｃはフレーム部２１において突起部２６のみを設けている。
【００４８】
図６Ａは本発明に係るバッテリが装着される撮像装置のレンズカバー側の斜視図である。図６Ｂは同撮像装置のモニタ側の斜視図である。図７はバッテリが格納される撮像装置の内部を示した斜視図である。図８はバッテリが撮像装置に装着された状態を示した斜視図である。図９は撮像装置へのバッテリの挿入要領を示した説明図である。
【００４９】
撮像装置１は、図６Ａに示されたように、本体１０上面部にズームレバー１０１とシャッターボタン１０２とマイク１０３を備えている。正面部には、図４に示されたように撮像レンズ１０４とフラッシュ１０４ａとＡＦイルミネータ１０４ｂとレンズカバー１０５とを備えている。レンズカバー１０５はスライド方式に撮像レンズ１０４とフラッシュ１０４ａとＡＦイルミネータ１０４ｂとをカバーする。ＡＦイルミネータ１０４ｂは暗い場所でフォーカスを合わすための補助光を発するものである。
【００５０】
また、図６Ｂに示されたように、本体１０の裏面部には、モード切り換えスイッチ１０６と、モニタ１０７と、メニューボタン１０８と、コントロールボタン１０９と、画面表示ボタン１１０と、画面サイズ選択／画面削除ボタン１１１と、スピーカー１１２と、リセットボタン１１３とを備えている。操作ボタン１０９はフラッシュモードボタン１０９ａとレビューボタン１０９ｂとセルフタイマーボタン１０９ｃとマクロボタン１０９ｄと決定ボタン１０９ｅとからなる。これらの構成要素は既知のデジタルカメラ装置（例えばソニー製デジタルカメラＤＳＣ−Ｔ３）に具備されている。
【００５１】
さらに、撮像装置１は、図７に示したように、バッテリ２を格納する格納部１０ａを有すると共に、バッテリ挿入側側面部には、図８に示したように、電源ボタン１００と、マルチ端子１１４と、バッテリ２が撮像装置１内に挿入そして装着されたときバッテリ２を係止する手段としてのロック爪１１５と、装着したバッテリ２を密閉する手段としての蓋１１６と、撮像装置１を保持するためのストラップ金具１１７と、バッテリ２を受け入れる開口部１１８（図９）とを備えている。尚、ストラップ金具１１７は撮影時に親指を当てることにより保持しやすくする働きもする。
【００５２】
格納部１０ａには、リブ１１９と端子板１２０が具備されている。端子板１２０はバネ弾性を有する端子１２１を備えている。リブ１１９はバッテリ２が格納部１０ａに格納された状態のときバッテリ２に形成された凹部２３０（図１）と当接する。端子１２１はバッテリ２が格納部１０ａに格納された状態のときバッテリ２の端子接触部２２２（図１）と電気的に接続する。
【００５３】
ロック爪１１５は図９の矢印方向に移動可能に設けられ、バネ１１５ｂによって開口部１１８方向に付勢されている。ロック爪１１５は傾斜面１１５ａを形成している。傾斜面１１５ａはバッテリ２のバネ１１５ｂのバネ弾性による排出量を補うためのものである。すなわち、バッテリ２が撮像装置１から排出される際にバネ１１５ｂの接触圧により押されたロック爪１１５が傾斜面１１５ａによってバッテリ２のフレーム部２１に形成された突起部２７の下に潜り込ませてバッテリ２の排出を促進させている。尚、ロック爪１１５は撮像装置１に装着されたバッテリ２を係止できればよいので、必ずしも傾斜面１１５ａを形成させる必要はない。
【００５４】
すなわち、図１５に示したような形態に構成してもよい。ロック爪１３はバネ１１５ｂと同様に構成されたバネの弾性変形により往復動可能な係止部１３ａを備える。係止部１３ａはさらに補助係止部１３ｂを備えている。
【００５５】
図９〜図１２を参照しながらバッテリ２の挿入動作について説明する。
【００５６】
図９に示すようにバッテリ２の端子接触部２２２を有する面を撮像装置１の開口部１１８に向けてバッテリ２を撮像装置１内に挿入させる。このとき、図１０（ａ）に示したように、ロック爪１１５を指によって引いた状態で、バッテリ２を撮像装置１内に挿入させる。そして、図１０（ｂ）で示すように、バッテリ２の凹部２３０の底部が撮像装置１内のリブ１１９に接触して、バッテリ２が撮像装置１内に収まった時点で、指を放してロック爪１１５を開放させると、ロック爪１１５が開口部１１（図９）方向に付勢しているバネ１１５ｂにより付勢されてバッテリ２方向に滑走し被係止面２７１を係止することにより、バッテリ２が係止される。その後、図１０（ｃ）に示されたように、蓋１１６が閉じられることで、バッテリ２が撮像装置１において密閉される。このとき、撮像装置１の端子板１２０設けられている端子１２１は、弾性変形により収縮された状態で、バッテリ２の端子接触部２２２と電気的に接続された状態となる。
【００５７】
次いで、バッテリ２を取り外す場合、図１１（ａ）に示されたようにロック爪１１５を指（図示省略）で横矢印方向に引き寄せると、バッテリ２は図１１（ｂ）に示されたように端子板１２０上の端子１２１の接触圧を受けて矢印方向に突出する。ここで、指をロック爪１１５から開放させると、ロック爪１１５は、ロック爪１１５を付勢しているバネ１１５ｂにより付勢されて、図１１（ｃ）に示したようにバッテリ２方向に移動する。このとき、バッテリ２の突起部２６は撮像装置１の外側に露出しているので、突起部２６，２７に指を掛けることでバッテリ２を容易に取り出せる。尚、ロック爪１１５に傾斜面１１５ａが形成されている場合、ロック爪１１５は傾斜面１１５ａを突起部２７の傾斜面２７０に当接させながら突起部２７の下に潜り込むので、バッテリ２の排出量が補われ、バッテリ２はさらに突出する。これにより、バッテリ２をより一層容易に取り出すことができる。
【００５８】
一方、図１２（ａ）及び図１２（ｂ）に示したように撮像装置１に対してバッテリ２を横誤挿入した場合、バッテリ２の突出部２６がリブ１１９に当たると共にキャップ部２３の側面がリブ１１９に当たる。このときバッテリ２の一部が撮像装置１本体からはみ出しているので、爪ロック１１５はバッテリ２を係止することができないと共に、扉１１６は開口部１１８を閉じることができない。
【００５９】
また、図１２（ｃ）に示したように撮像装置１に対してバッテリ２を裏表逆挿入した場合、バッテリ２のキャップ部２３の端部がリブ１１９に当たる。このときも、バッテリ２の一部が撮像装置１本体からはみ出しているので、爪ロック１１５はバッテリ２を係止することができないと共に、扉１１６は開口部１１８を閉じることができない。
【００６０】
さらに、図１２（ｄ）に示したように撮像装置１に対してバッテリ２を前後逆挿入した場合、バッテリ２の突起部２６，２７が撮像装置１の開口部１１８の縁部に当たり、バッテリ２は撮像装置１内に挿入されないので、爪ロック１１５はバッテリ２を係止することができないと共に、扉１１６は開口部１１８を閉じることができない。
【００６１】
以上のようにバッテリ２によれば、撮像装置１への誤挿入が防止され、バッテリ２の誤挿入による撮像装置１の端子１２１の破損を回避できる。
【００６２】
次にバッテリ２Ａの挿入動作について図１３及び図１４を参照しながら説明する。
【００６３】
図１３に示したようにロック爪１１５を指によって引き寄せた状態でバッテリ２Ａ（図３）の端子窓２３３を有する面を撮像装置１の開口部１１８に向けてバッテリ２Ａを撮像装置１内に挿入させる。そして、図１４（ａ）で示したように、バッテリ２Ａの凹部２３０の底部が撮像装置１内のリブ１１９に接触して、バッテリ２Ａが撮像装置１内に収まった時点で、指を放してロック爪１１５を開放させると、ロック爪１１５がバネ１１５ｂにより付勢されて被係止面２７１をバッテリ２方向に滑走しそして被係止面２７１を係止することにより、バッテリ２Ａが係止される。その後、蓋１１６が閉じられることで、バッテリ２Ａが撮像装置１において密閉される。このとき、撮像装置１の端子板１２０に設けられている端子１２１は弾性変形により収縮された状態でバッテリ２Ａの端子２２２と電気的に接続された状態となる。
【００６４】
一方、図１４（ｂ）に示すように撮像装置１に対してバッテリ２Ａを裏表逆挿入した場合、バッテリ２Ａの突起部２８，２９がそれぞれリブ１１９に当たる。このとき、バッテリ２Ａの一部が撮像装置１本体からはみ出しているので、爪ロック１１５はバッテリ２Ａを係止することができないと共に、扉１１６は開口部１１８を閉じることができない。さらに、バッテリ２Ａのキャップ部２３と撮像装置１側の端子１１９との間の距離は両者が接触しない程の距離が保たれている。
【００６５】
また、図１４（ｃ）に示したように撮像装置１に対してバッテリ２Ａを横誤挿入した場合、バッテリ２Ａの突出部２８が撮像装置１の開口部１１８の縁部に当たり、バッテリ２Ａは撮像装置１内に挿入されないので、爪ロック１１５はバッテリ２を係止することができないと共に、扉１１６は開口部１１８を閉じることができない。
【００６６】
したがって、バッテリ２Ａによれば、撮像装置１への誤挿入が防止され、バッテリ２Ａの誤挿入による撮像装置１の端子１２１の破損を回避できる。
【００６７】
また、図４に示されたバッテリ２Ｂによっても、撮像装置１に対する誤装着を防止できる。
【００６８】
すなわち、図１２（ｂ）に示した状況と同様に、撮像装置１に対してバッテリ２Ｂを横誤挿入した場合、バッテリ２Ｂの突出部２７が撮像装置１内のリブ１１９に当たると共にキャップ部２３の側面がリブ１１９に当たる。このときバッテリ２Ｂの一部が撮像装置１本体からはみ出しているので、爪ロック１１５はバッテリ２Ｂを係止することができないと共に、扉１１６は開口部１１８を閉じることができない。また、図１２（ｄ）に示した状況と同様に、撮像装置１に対してバッテリ２Ｂを前後逆挿入した場合、バッテリ２Ｂの突起部２７が撮像装置１の開口部１１８の縁部に当たり、バッテリ２Ｂは撮像装置１内に挿入されないので、爪ロック１１５はバッテリ２Ｂを係止することができないと共に、扉１１６は開口部１１８を閉じることができない。
【００６９】
このように、バッテリ２Ｂによっても、撮像装置１に対する誤装着を防止できる。尚、バッテリ２Ｂにおいても、バッテリ２Ａのように、キャップ部２３において突起部２８，２９を設けて、撮像装置１に対する裏表逆装着及び横誤装着を防止できるようにするとよい。
【００７０】
また、図５に示されたバッテリ２Ｃよっても、撮像装置１に対する誤装着を防止できる。すなわち、図１２（ａ）に示した状況と同様に、撮像装置１に対してバッテリ２Ｂを横誤挿入した場合、バッテリ２Ｃの突出部２６が撮像装置１内のリブ１１９に当たると共にキャップ部２３の側面がリブ１１９に当たる。このときバッテリ２Ｃの一部が撮像装置１本体からはみ出しているので、爪ロック１１５はバッテリ２Ｃを係止することができないと共に、扉１１６は開口部１１８を閉じることができない。また、図１２（ｄ）に示した状況と同様に、撮像装置１に対してバッテリ２Ｃを前後逆挿入した場合、バッテリ２Ｃの突起部２６が撮像装置１の開口部１１８の縁部に当たり、バッテリ２Ｃは撮像装置１内に挿入されないので、爪ロック１１５はバッテリ２Ｃを係止することができないと共に、扉１１６は開口部１１８を閉じることができない。
【００７１】
このように、バッテリ２Ｃによっても、撮像装置１に対する誤装着を防止できる。尚、バッテリ２Ｃにおいても、バッテリ２Ａのように、キャップ部２３において突起部２８，２９を設けて、撮像装置１に対する裏表逆装着及び横誤装着を防止できるようにするとよい。
【００７２】
以上説明したバッテリは撮像装置１について適用されたものであるが、本発明に係るバッテリは、撮像装置に限定されず、この撮像装置以外のバッテリを必要とする電子装置にも適用できる。
【００７３】
次に、本発明に係るバッテリの充電装置について説明する。
【００７４】
図１６Ａは本発明に係る充電装置の実施形態を示す斜視図である。図１６Ｂは同充電装置にバッテリが装着された状態を示した斜視図である。また、図１７Ａ及び図１７Ｂは本実施形態に係る充電装置の平面図及び断面図である。さらに、図１８Ａ及び図１８Ｂは前記充電装置にバッテリが装着された状態を示した平面図及び断面図である。
【００７５】
充電装置３は、バッテリ２の充電装置であって、バッテリ２を収納する収納部３０を形成させている。収納部３０はその内側側面に充電端子３１を備える。充電端子３１はバッテリ２が、図１６Ｂに示したように収納部３０に収納されたとき、図１８Ｂに示されたようにバッテリ２の端子接続部２２２と電気的に接続する。充電端子３１はバネ弾性を有している。また、前記内側面にはスイッチ３２が設けられている。スイッチ３２は、充電装置３に設けられたチャージランプ３３のスイッチであり、例えば、バッテリ２の充電時にチャージランプ３３を点灯または点滅させ、そして充電完了時にはチャージランプ３３を消灯または充電時の点灯点滅色とは異なる色で点灯させる。尚、図示省略されているが、バッテリ２はＡＣ−ＤＣ変換器及び交流電源に接続させるためのプラグを備える。プラグは着脱自在であってもよい。
【００７６】
また、収納部３０において充電端子３１が設けられている側面側のコーナー部にはバッテリ２が収納された時にバッテリ２のキャップ部２３に形成された凹部２３０と当接するリブ３４が設けられている。尚、バッテリ２Ａを収納させたい場合は充電端子３１が設けられている側面側にバッテリ２Ａの突起部２８，２９を各々収納させる収納部が形成される。
【００７７】
さらに、収納部３０はバッテリ２のフレーム部２１に形成された突起部２６，２７をそれぞれ収納させる突起収納部を備えている。本実施形態では、突起部２６を収納するための突起収納部３６と、突起部２７を収納するための突起収納部３７とを備えている。
【００７８】
充電装置３は、収納部３０内に収容されたバッテリ２が容易に外れにくい構造となっている一方で、収納部３０に収納されたバッテリ２を手で容易に取出しできるようになっている。すなわち、図１７Ａ及び図１７Ｂに示されたように、収納部３０の開口面積が収納部３０の底面部面積よりも小さく設定されている。一方、収納部３０における充電端子３１と対向する縁部には、バッテリ２挿入及び取り出し時に指が挿入される切欠き部３９が形成されている。切り欠き部３９は、充電端子３１と対向する収納部３０の側面とこれと接している底面の一部を切り欠いてなる。
【００７９】
また、収納部３０内の充電端子３１と対向する側面部及び収納部３０の底面部には、バッテリ２収納時にバッテリ２を安定して受けるようにするためのリブ３５が二本設けられている。そして、前記側面部の一方のリブ３５には凸状に形成された係止部３５１を備える。係止部３５１はバッテリ２が収納部３０に収納されたときバッテリ２のフレーム２１において凹状に形成された被係止部２１０を係止するようになっている。係止部３５１は両方のリブ３５に設けてもよい。
【００８０】
また、充電端子３１を有する側面と対向する収納部３０の縁部には、図１７Ｂ及び図１８Ｂに示したように、バッテリ２を係止するための係止手段３８を適宜設けると、図１９に示されたように、係止部３５１はバッテリ２のフレーム部２１に形成された被係止部２１０に嵌り込んで係止すると共に係止手段３８はバッテリ２のフレーム部２１を係止するので、バッテリ２を確実に充電装置３内に保持させることができる。係止手段３８にはバッテリ２を収納部３０内に挿入させる際にバッテリ２本体を滑走させる傾斜面３８１を適宜設けるとよい。
【００８１】
次に、図１７Ａ及び図１８Ａを参照しながら突起収納部３６及び３７の構造について説明する。
【００８２】
突起収納部３６の寸法はバッテリ２に形成された突起部２６と突起部２７の形状によって定まる。すなわち、突起収納部３６の幅Ｗ１は突起部２６の最大厚さＴ１よりも大きくなるように設定されている。また、幅Ｗ1は収納部３０に収納されたバッテリ２の取り出しやすさも考慮し適宜設定される。突起収納部３６の奥行きＤ１は突起部２６の長さＬ１よりも大きく且つ突起部２７の長さＬ２よりも小さくなるように設定されている。
【００８３】
突起収納部３７の寸法はバッテリ２に形成された突起部２７の形状によって定まる。すなわち、突起収納部３７の幅Ｗ２は突起部２７の最大厚さＴ２よりも大きくなるように設定されている。また、幅Ｗ２は収納部３０に収納されたバッテリ２を取り出しやすくするために適宜設定される。突起収納部３７の奥行きＤ２は突起部２７の長さＬ２よりも大きくなるように設定されている。
【００８４】
以上のように突起収納部３６及び３７の寸法をバッテリ２に形成された突起部２６及び２７の形状に基づき設定したことにより、充電装置３へのバッテリ２の挿入方向が明確となり、充電装置３へのバッテリ２の誤装着が回避される。
【００８５】
すなわち、バッテリ２のキャップ部２３を充電装置３の充電端子３１に向けてバッテリ２を収納部３０内に誘導させると、バッテリ２の突起部２６は突起収納部３６に収納されると共に突起部２７は突起収納部３７に収納される。そして、バッテリ２の接続端子部２２２が充電端子３１に接触すると、バッテリ２は充電端子３１の弾性力によって係止部３５１側の側面に付勢される。このとき、充電装置３の係止部３５１はバッテリ２の被係止部２１０と係合する。そして、収納部３０からバッテリ２を取り外す際にバッテリ２を充電端子３１側に寄せると充電端子３１は弾性変形し前記係合が解除される。これによりバッテリ２を取り外すことができる。
【００８６】
一方、図２０Ａ及び図２０Ｂに示したように、バッテリ２を収納部３０に対して裏表誤挿入させ場合、バッテリ２のフレーム部２１に形成されている突起部２７が突起収納部３６の縁に接触するので、バッテリ２を収納部３０内に収納させることができない。これにより、充電装置３に対するバッテリ２の裏表誤装着が防止される。
【００８７】
図２１Ａはバッテリ２Ｂを充電するための充電装置３Ａの概略を示した平面図である。図２１Ｂは充電装置３Ａにバッテリ２Ｂが装着された状態を示した平面図である。
【００８８】
充電装置３Ａは、収納部３０においてバッテリ２Ｂの突起部２７を収納できる突起収納部３７のみを設けていること以外、その詳細な構成は充電装置３と同じである。すなわち、突起収納部３７の寸法はバッテリ２Ｂに形成された突起部２７の形状によって定まる。すなわち、突起収納部３７の幅Ｗ２は突起部２７の最大厚さＴ２（図１８Ａ）よりも大きくなるように設定されている。突起収納部３７の奥行きＤ２は突起部２７の長さＬ２よりも大きくなるように設定されている。このような構成の充電装置３Ａによれば、充電装置３へのバッテリ２Ｂの挿入方向が明確となり、充電装置３へのバッテリ２Ｂの誤装着が回避されることが明らかである。
【００８９】
図２２Ａはバッテリ２Ｃを充電するための充電装置３Ｂの概略を示した平面図である。図２２Ｂは充電装置３Ｂにバッテリ２Ｃが装着された状態を示した平面図である。
【００９０】
充電装置３Ｂは、収納部３０においてバッテリ２Ｃの突起部２６を収納できる突起収納部３６のみを設けていること以外、その詳細な構成は充電装置３と同じである。すなわち、突起収納部３６の寸法はバッテリ２Ｃに形成された突起部２６の形状によって定まる。すなわち、突起収納部３６の幅Ｗ１は突起部２６の最大厚さＴ１（図１８Ａ）よりも大きくなるように設定されている。突起収納部３６の奥行きＤ１は突起部２６の長さＬ１よりも大きくなるように設定されている。このような構成の充電装置３Ｂによれば、充電装置３Ｂへのバッテリ２Ｃの挿入方向が明確となり、充電装置３Ｂへのバッテリ２Ｃの誤装着が回避されることが明らかである。
【００９１】
図２３も本発明に係る充電装置の他の実施形態を示した概観図である。図２４Ａは同充電装置を示した平面図である。図２４Ｂは前記充電装置の実施形態を示した断面図である。
【００９２】
従来の充電装置はバッテリのサイズ毎に基いた専用の充電装置としていた。これはバッテリのサイズにより充電端子の構造が異なるためである。したがって、単一の充電装置によってサイズの異なるバッテリを充電する場合、充電装置側においては各バッテリに応じた専用の取付面と充電端子そして、各バッテリを固定させるための構造を設けなければならなかった。このことは充電装置のサイズが大型化するばかりでなく、部品の数も増大する。
【００９３】
そこで、バッテリ４Ｂは電池セルの主面が長方形であるバッテリを格納する空間と電池セルの主面が略正方形であるバッテリを格納する空間とを設け、充電端子は前記バッテリの共用にすることにより、前記本発明の充電装置において単一に充電端子を介してバッテリを充電するようにしている。
【００９４】
充電装置４は、電池セルの主面が略正方形であるバッテリ２及び２Ａ〜２Ｃに限定されず、従来のバッテリをも構造である前記主面が長方形であるのバッテリ２Ｄ及び２Ｅをも充電可能としている。バッテリ２Ｄとしては、３．５Ｖ−２．４Ｗｈ仕様のバッテリが例示される。バッテリ２Ｅとしては、３．６Ｖ−４．４Ｗｈ仕様のバッテリが例示される。バッテリ２Ｄは電池セルの主面の形状が長方形であること以外は図２に示したバッテリ２の構成と同じである。バッテリ２Ｅは電池セルの主面の形状が長方形であること及び電池セルの厚みがバッテリ２の厚みより大きいこと以外は図２に示したバッテリ２の構成と同じである。
【００９５】
充電装置４は、図２５Ｃに示したように、少なくともバッテリ２，２Ａ〜２Ｃ，２Ｄ及び２Ｅのなかで最大容量のバッテリであるバッテリ２Ｅを収納できる空間を設けた収納部４０を形成させている。
【００９６】
収納部４０はその内側側面に充電端子４１を備える。充電端子４１はバッテリ２，２Ｂ，２Ｃ，２Ｄ及び２Ｅが、図２５Ａ〜図２５Ｃに示したように、収納部４０に収納されたとき、バッテリ２，２Ｂ，２Ｃ，２Ｄ及び２Ｅの端子接続部と電気的に接続する。充電端子４１はバネ弾性を有している。また、前記内側面にはスイッチ４２が設けられている。スイッチ４２は充電装置４に設けられたチャージランプ４３のスイッチであり、例えば、バッテリ２，２Ｂ，２Ｃ，２Ｄ及び２Ｅの充電時にチャージランプ４３を点灯または点滅させ、そして充電完了時にはチャージランプ４３を消灯または充電時の点灯点滅色とは異なる色で点灯させる。尚、図示省略されているが、バッテリ４は交流電源に接続されるためのプラグを備えている。前記プラブは着脱自在に具備させてもよい。
【００９７】
収納部４０は、図２４Ａ及び図２４Ｂに示したように、バッテリ２Ｄ及び２Ｅが取付けられる第一取付面４０１と、バッテリ２，２Ａ〜２Ｃが取付される第二取付面４０２とを有する。第二取付面４０２は第一取付面４０１よりも低く設定されることで、バッテリ２，２Ａ〜２Ｃが選択的に取付られるようになっている。第二取付面４０２は、充電端子４１側の辺４０２ａの高さが第一取付面４０２側の辺４０２ｂの高さよりも高く設定されている。本実施形態の第二取付面４０２は、辺４０２ａの高さを第一取付面４０２の高さと同じ高さに設定する一方で辺４０２ｂの高さを第一取付面４０２の高さよりも低く設定することにより、バッテリ２，２Ａ〜２Ｃが取付される傾斜面を形成させている。このような構成にすることで、バッテリの取付面を増やさずにサイズの異なるバッテリを装着することができる。しかも、バッテリのサイズに関わらず充電端子４１を共通に使用できる。
【００９８】
また、収納部４０において充電端子４１が設けられている側面側のコーナー部にも、バッテリ２，２Ｂ，２Ｃ，２Ｄ及び２Ｅが収納された時に前記バッテリのキャップ部に形成された凹部２３０，２３０ｄ，２３０ｅと当接するリブ４４が設けられている。さらに収納部４０には図２４Ｂに示されたようにバッテリ２Ｅのフレーム部２３ｅに形成された凹部２３０ｆと当接するリブ４８が設けられている。尚、バッテリ２Ａを収納させたい場合は充電端子３１が設けられている側面側にバッテリ２Ａの突起部２８，２９を各々収納させる収納部が形成される。
【００９９】
さらに、第二取付面４０２を底面とする収納空間にはバッテリ２，２Ａ〜２Ｃのフレーム部２１に形成された突起部２６，２７をそれぞれ収納させる突起収納部が設けられている。本実施形態では、突起部２６を収納するための突起収納部４６と、突起部２７を収納するための突起収納部４７とが設けられている。
【０１００】
充電装置４は、収納部４０内に収容されたバッテリ２が容易に外れにくい構造となっている一方で、収納部４０に収納されたバッテリ２を手で容易に取出しできるようになっている。すなわち、図２４Ａ及び図２４Ｂに示されたように、収納部４０の開口面積が収納部４０の底面部面積よりも小さく設定されている。一方、収納部４０における充電端子４１と対向する縁部には、バッテリ２，２Ａ〜２Ｅの挿入及び取り出し時に指が挿入される切欠き部４９が形成されている。切り欠き部４９は、充電端子４１と対向する収納部４０の側面とこれと接している底面の一部を切り欠いてなる。
【０１０１】
また、収納部４０内の充電端子４１と対向する側面部及び収納部４０の底面部には、バッテリ２，２Ａ〜２Ｅ収納時に前記バッテリを安定して受けるようにするためのリブ４５が二本設けられている。そして、前記側面部の一方のリブ４５には凸状に形成された係止部４５１，４５２を備える。係止部４５１はバッテリ２，２Ａ〜２Ｃが収納部４０に収納されたとき、図２５Ａに示したように、前記バッテリのフレーム２１における被係止部２１０を係止するようになっている。係止部４５２はバッテリ２Ｄ及び２Ｅが収納部４０に収納されたとき、図２５Ｂ及び図２５Ｂに示したように、バッテリ２Ｄ及び２Ｅのフレーム２１において凹状に形成された被係止部２１０ｄ及び２１０ｅを係止するようになっている。係止部４５１，４５２は両方のリブ４５に設けてもよい。
【０１０２】
また、充電端子４１を有する側面と対向する収納部４０の縁部には、図１７Ｂ及び図１８Ｂに示した充電装置３と同様に、バッテリ２Ｄ及び２Ｅを係止するための係止手段を適宜設けると、係止部４５２はバッテリ２Ｄ及び２Ｅのフレーム部に形成された被係止部２１０ｄ及び２１０ｅに嵌り込んで係止すると共に前記係止手段はバッテリ２Ｄ及び２Ｅのフレーム部２１０ｄ及び２１０ｅを係止する。したがって、バッテリ２Ｄ及び２Ｅを確実に充電装置４内に保持させることができる。
【０１０３】
次に、図２６を参照しながら突起収納部４６及び４７の構造について説明する。
【０１０４】
突起収納部４６の寸法はバッテリ２及び２Ａ〜２Ｃに形成された突起部２６と突起部２７の形状によって定まる。すなわち、突起収納部４６の幅Ｗ１は突起部２６の最大厚さＴ１（図１８Ａ）よりも大きくなるように設定されている。また、幅Ｗ1は収納部３０に収納されたバッテリの取り出しやすさも考慮し適宜設定される。突起収納部４６の奥行きＤ１は突起部２６の長さＬ１（図１８Ａ）よりも大きく且つ突起部２７の長さＬ２よりも小さくなるように設定されている。
【０１０５】
突起収納部４７の寸法はバッテリ２及び２Ａ〜２Ｃに形成された突起部２７の形状によって定まる。すなわち、突起収納部４７の幅Ｗ２は突起部２７の最大厚さＴ２（図１８Ａ）よりも大きくなるように設定されている。また、幅Ｗ２は収納部３０に収納されたバッテリの取り出しやすさも考慮し適宜設定される。突起収納部４７の奥行きＤ２は突起部２７の長さＬ２（図１８Ａ）よりも大きくなるように設定されている。
【０１０６】
以上のように突起収納部４６及び４７の寸法をバッテリ２に形成された突起部２６及び２７の形状に基づき設定したことにより、充電装置４への前記バッテリの挿入方向が明確となり、充電装置４への前記バッテリの誤装着が回避される。
【０１０７】
すなわち、バッテリ２のキャップ部２３を充電装置４の充電端子４１に向けてバッテリ２を収納部４０内に誘導させると、バッテリ２の突起部２６は突起収納部４６に収納されると共に突起部２７は突起収納部４７に収納される。そして、バッテリ２の接続端子部２２２が充電端子４１に接触すると、バッテリ２は充電端子４１の弾性力によって係止部４５１側の側面に付勢される。このとき、充電装置４の係止部４５１はバッテリ２の被係止部２１０と係合する。そして、収納部４０からバッテリ２を取り外す際にバッテリ２を充電端子４１側に寄せると充電端子３１は弾性変形し前記係合が解除される。これによりバッテリ２を取り外すことができる。
【０１０８】
一方、図２０Ａ及び図２０Ｂに示した状況と同様に、前記バッテリを収納部４０に対して裏表誤挿入させた場合、前記バッテリのフレーム部２１に形成されている突起部２７が突起収納部４６の縁に接触するので、前記バッテリを収納部４０内に収納させることができない。これにより、充電装置４に対するバッテリ２及び２Ａ〜２Ｃの裏表誤装着が防止される。
【０１０９】
図２７Ａはバッテリ２Ｂを充電するための充電装置４Ａにバッテリ２Ｂが装着された状態を示した平面図である。
【０１１０】
充電装置４Ａは、収納部４０においてバッテリ２Ｂの突起部２７を収納できる突起収納部４７のみを設けられていること以外、その詳細な構成は充電装置５と同じである。すなわち、突起収納部の寸法はバッテリ２Ｂに形成された突起部２７の形状によって定まる。すなわち、突起収納部４７の幅Ｗ２は突起部２７の最大厚さＴ２よりも大きくなるように設定されている。また、幅Ｗ２は収納部３０に収納されたバッテリ２の取り出しやすさも考慮し適宜設定される。突起収納部４７の奥行きＤ２は突起部２７の長さＬ２よりも大きくなるように設定されている。このような構成の充電装置４Ａによれば、充電装置４Ａへのバッテリ２Ｂの挿入方向が明確となり、充電装置４Ａへのバッテリ２Ｂの誤装着が回避されることが明らかである。
【０１１１】
図２７Ｂは充電装置４Ｂにバッテリ２Ｃが装着された状態を示した平面図である。
【０１１２】
充電装置４Ｂは、収納部４０においてバッテリ２Ｃの突起部２６を収納できる突起収納部４６のみを設けられていること以外、その詳細な構成は充電装置４と同じである。すなわち、突起収納部４６の寸法はバッテリ２Ｃに形成された突起部２６の形状によって定まる。すなわち、突起収納部４６の幅Ｗ１は突起部２６の最大厚さＴ１よりも大きくなるように設定されている。また、幅Ｗ1は収納部３０に収納されたバッテリ２の取り出しやすさも考慮し適宜設定される。突起収納部４６の奥行きＤ１は突起部２６の長さＬ１よりも大きくなるように設定されている。このような構成の充電装置４Ｂによれば、充電装置４Ｂへのバッテリ２Ｃの挿入方向が明確となり、充電装置４Ｂへのバッテリ２Ｃの誤装着が回避されることが明らかである。
【図面の簡単な説明】
【０１１３】
【図１】（ａ）〜（ｆ）は本発明の実施形態に係る突起部を両端に有するバッテリの各外面を示す側面図。
【図２】バッテリの分解斜視図。
【図３】（ａ）〜（ｆ）は本発明の他の実施形態に係る突起部を４ヶ所に有するバッテリの各外面を示す側面図。
【図４】（ａ）〜（ｆ）は本発明の他の実施形態に係る突起部を一端に有するバッテリの各外面を示す側面図。
【図５】（ａ）〜（ｆ）は本発明の他の実施形態に係る突起部を一端に有するバッテリの各外面を示す側面図。
【図６Ａ】本発明に係るバッテリが装着される撮像装置を示す斜視図。
【図６Ｂ】本発明に係るバッテリが装着される撮像装置を示す斜視図。
【図７】バッテリが格納される撮像装置の内部を示した斜視図。
【図８】バッテリが撮像装置に装着された状態を示す斜視図。
【図９】撮像装置へのバッテリの挿入要領を示す説明図。
【図１０】バッテリの挿入動作の説明図。
【図１１】バッテリの排出動作の説明図。
【図１２】バッテリの誤挿入防止動作の説明図。
【図１３】撮像装置へのバッテリの挿入要領を示す説明図。
【図１４】（ａ）はバッテリの挿入動作の説明図、（ｂ）及び（ｃ）はバッテリの誤挿入防止動作の説明図。
【図１５】撮像装置のロック爪の部分を示す斜視図。
【図１６Ａ】本発明の実施形態に係る充電装置を示す斜視図。
【図１６Ｂ】前記充電装置に突起部を両端に有するバッテリが装着された状態を示す斜視図。
【図１７Ａ】前記充電装置の実施形態を示す平面図。
【図１７Ｂ】前記充電装置の実施形態を示す断面図。
【図１８Ａ】前記充電装置に突起部を両端に有するバッテリが装着された状態を示す平面図。
【図１８Ｂ】前記充電装置に突起部を両端に有するバッテリが装着された状態を示す断面図。
【図１９】バッテリが装着されている充電装置の係止手段の周辺を示す拡大図。
【図２０Ａ】本発明に係る充電装置に対してバッテリが裏表誤挿入されようとしている状態を示す平面図。
【図２０Ｂ】本発明に係る充電装置に対してバッテリが裏表誤挿入されようとしている状態を示す断面図。
【図２１Ａ】本発明の他の実施形態に係る充電装置を示す平面図。
【図２１Ｂ】前記充電装置にバッテリが装着された状態を示す平面図。
【図２２Ａ】本発明の他の実施形態に係る充電装置の実施形態を示す平面図。
【図２２Ｂ】前記充電装置にバッテリが装着された状態を示す断面図。
【図２３】本発明の他の実施形態で本発明に係るバッテリと主面が長方形であるバッテリとを充電できる充電装置を示す斜視図。
【図２４Ａ】本発明の他の実施形態に係る充電装置を示す平面図。
【図２４Ｂ】本発明の他の実施形態に係る充電装置を示す断面図。
【図２５Ａ】前記充電装置に本発明に係るバッテリが装着した状態を示す断面図。
【図２５Ｂ】本発明に係る充電装置に主面が長方形であるバッテリを装着した状態を示す断面図。
【図２５Ｃ】本発明に係る充電装置に主面が長方形で前記主面が長方形であるバッテリよりも厚いバッテリを装着された状態を示す断面図。
【図２６】本発明に係る充電装置に本発明に係る突起部を両端に有するバッテリが装着された状態を示す平面図。
【図２７Ａ】本発明に係る充電装置に本発明に係る突起部を一端に有するバッテリが装着された状態を示す平面図。
【図２７Ｂ】本発明に係る充電装置に本発明に係る突起部を一端に有するバッテリが装着された状態を示す平面図。
【図２８】従来例に係るバッテリを示す斜視図。
【符号の説明】
【０１１４】
１…撮像装置
２,２Ａ，２Ｂ，２Ｃ，２Ｄ，２Ｅ…バッテリ
１０…装置本体、１０ａ…格納部
２０…電池セル、２１…フレーム部、２１ｂ…辺、２３…キャップ部
２６，２７，２８，２９…突起部
１００…電源ボタン、１１５…ロック爪、１１５ａ…傾斜面、１１５ｂ…バネ、１１６…蓋、１１７…ストラップ金具、１１８…開口部
１２２…突起収納部
２３０…凹部、２２２…端子接触部
２７０…傾斜面、２７１…被係止面
３，３Ａ，３Ｂ，４，４Ａ，４Ｂ…充電装置
３０，４０…収納部
３５，４５…リブ
３６，３７，４６，４７…突起収納部
４０１…第一取付面、４０２…第二取付面
３５１，４５１…係止部
【図１】
2006221989.tif 000003
【図２】
2006221989.tif 000004
【図３】
2006221989.tif 000005
【図４】
2006221989.tif 000006
【図５】
2006221989.tif 000007
【図６Ａ】
2006221989.tif 000008
【図６Ｂ】
2006221989.tif 000009
【図７】
2006221989.tif 000010
【図８】
2006221989.tif 000011
【図９】
2006221989.tif 000012
【図１０】
2006221989.tif 000013
【図１１】
2006221989.tif 000014
【図１２】
2006221989.tif 000015
【図１３】
2006221989.tif 000016
【図１４】
2006221989.tif 000017
【図１５】
2006221989.tif 000018
【図１６Ａ】
2006221989.tif 000019
【図１６Ｂ】
2006221989.tif 000020
【図１７Ａ】
2006221989.tif 000021
【図１７Ｂ】
2006221989.tif 000022
【図１８Ａ】
2006221989.tif 000023
【図１８Ｂ】
2006221989.tif 000024
【図１９】
2006221989.tif 000025
【図２０Ａ】
2006221989.tif 000026
【図２０Ｂ】
2006221989.tif 000027
【図２１Ａ】
2006221989.tif 000028
【図２１Ｂ】
2006221989.tif 000029
【図２２Ａ】
2006221989.tif 000030
【図２２Ｂ】
2006221989.tif 000031
【図２３】
2006221989.tif 000032
【図２４Ａ】
2006221989.tif 000033
【図２４Ｂ】
2006221989.tif 000034
【図２５Ａ】
2006221989.tif 000035
【図２５Ｂ】
2006221989.tif 000036
【図２５Ｃ】
2006221989.tif 000037
【図２６】
2006221989.tif 000038
【図２７Ａ】
2006221989.tif 000039
【図２７Ｂ】
2006221989.tif 000040
【図２８】
2006221989.tif 000041